(57)【要約】【課題】簡単な構造であって、操作性に優れた扉止め装置を提供する。【解決手段】（ａ）において、戸当たり１の先端部は、磁石１１を緩衝材１２で覆って形成されている。扉２のうち、戸当たり１に当接する部位には、金属板１３が設けられている。また（ｃ）において、戸当たり１の先端部には磁石１１が設けられている。扉２のうち、戸当たり１に当接する部位には、金属板１３が設けられ、その先端は緩衝材１２で覆われている。金属板１３の先端には、（ｂ）、（ｄ）に示すように磁石１１を設けることもできる。緩衝材１２は例えばゴムを用いて形成することができ、金属板１３は磁石１１によって吸着される磁性を有する金属によって形成される。扉２を開放する際に、扉２が戸当たり１に近づくと、金属板１３が磁石１１によって吸着されて扉２は戸当たり１に固定される。【選択図】  図２
2005325653.tif 000002
【特許請求の範囲】
【請求項１】
扉を開放状態に維持するための戸当たりの先端部は、磁石を緩衝材で覆って形成され、扉のうち前記戸当たりに当接する部位には磁性を有する金属板が設けられていることを特徴とする扉止め装置。
【請求項２】
扉を開放状態に維持するための戸当たりの先端部に磁石が設けられ、扉のうち前記戸当たりに当接する部位には磁性を有する金属板が設けられ、前記金属板は緩衝材で覆われていることを特徴とする扉止め装置。
【請求項３】
前記金属板を覆うように磁石が設けられていることを特徴とする請求項１または２記載の扉止め装置。
【請求項４】
扉を開放状態に維持するための戸当たりが支持部と吸着部とからなり、前記支持部は緩衝材によって形成され、前記吸着部は磁石の先端に緩衝材を設けたものが、ばねを介して壁または床に固定され、扉のうち前記戸当たりに当接する部位には磁性を有する金属板が設けられていることを特徴とする扉止め装置。
【発明の詳細な説明】
【技術分野】
【０００１】
本発明は、住居やオフィス等において使用される扉を開放した状態に保つための扉止め装置に関する。
【背景技術】
【０００２】
住居やオフィス等において使用される扉を開放した状態で維持するために、床や壁に戸当たりが設けられている。従来の戸当たりの一例を図４に示す。
図４に示すものは、戸当たり１が床上に固定された場合であり、扉２が開放されたときに、戸当たり１に設けられた止め具３によって扉２は戸当たり１に固定される。この戸当たり１を設けることによって、扉２を開いた際に、扉２の取手４が壁にぶつかることなく、扉２が開放された状態を維持することができる。戸当たり１はこのように床上に固定されたものの他に、壁に固定されたものも使用されている。
戸当たり１については様々な改良がなされており、例えば、扉を開放状態で固定するために磁石を用いたドアキャッチャーが特許文献１に記載されている。
【０００３】
【特許文献１】特開昭６３−２８０１７８号公報
【発明の開示】
【発明が解決しようとする課題】
【０００４】
このドアキャッチャーによると、磁石によって扉をドアキャッチャーに吸着して固定するため、使用上の利便性が高まるが、構造が複雑となっている。
本発明は、上記の問題点を解決するためになされたもので、簡単な構造であって、操作性に優れた扉止め装置を提供することを目的とする。
【課題を解決するための手段】
【０００５】
以上の課題を解決するために、本発明は、扉を開放状態に維持するための戸当たりの先端部は、磁石を緩衝材で覆って形成され、扉のうち前記戸当たりに当接する部位には磁性を有する金属板が設けられていることを特徴とする扉止め装置である。
【０００６】
扉を開放する際に扉が戸当たりに近づくと、扉に設けられた金属板が磁石によって吸着されて扉は戸当たりに固定される。磁石の磁力により瞬時に扉が戸当たりに固定されるため、扉を戸当たりに近づけただけで扉を戸当たりに固定することができ、止め具を必要としないため操作性が向上する。また、扉が戸当たりに固定される際に、緩衝材が金属板と磁石との間に挟まれる構成となっているため、磁力によって扉が戸当たりに吸着される際の衝撃を和らげることができる。そのため、吸着時に大きな音が発生することを防止でき、吸着の際の衝撃によって扉が破損することもない。
【０００７】
また、本発明は、扉を開放状態に維持するための戸当たりの先端部に磁石が設けられ、扉のうち前記戸当たりに当接する部位には磁性を有する金属板が設けられ、前記金属板は緩衝材で覆われていることを特徴とする扉止め装置である。
【０００８】
扉を開放する際に扉が戸当たりに近づくと、扉に設けられた金属板が磁石によって吸着されて扉は戸当たりに固定される。磁石の磁力により瞬時に扉が戸当たりに固定されるため、扉を戸当たりに近づけただけで扉を戸当たりに固定することができ、止め具を必要としないため操作性が向上する。また、扉が戸当たりに固定される際に、緩衝材が金属板と磁石との間に挟まれる構成となっているため、磁力によって扉が戸当たりに吸着される際の衝撃を和らげることができる。そのため、吸着時に大きな音が発生することを防止でき、吸着の際の衝撃によって扉が破損することもない。
【０００９】
本発明においては、前記金属板を覆うように磁石を設けることができる。この磁石を設けることにより、扉が戸当たりに吸着される際の吸着力を高めることができる。
【００１０】
また、本発明は、扉を開放状態に維持するための戸当たりが支持部と吸着部とからなり、前記支持部は緩衝材によって形成され、前記吸着部は磁石の先端に緩衝材を設けたものが、ばねを介して壁または床に固定され、扉のうち前記戸当たりに当接する部位には磁性を有する金属板が設けられていることを特徴とする扉止め装置である。
扉が開放されて壁に近づくと、扉は吸着部の磁石によって吸着されて吸着部の先端に設けられた緩衝材に接触する。この接触の際の衝撃は、押圧によるばねの圧縮によって吸収される。吸着部の先端位置は、ばねの振動に伴って振動するが、扉は吸着部の磁石からの吸着力によって吸着された状態を保ったまま、支持部によって支持された状態で開放された状態が維持される。そのため、扉が戸当たりの吸着部に接触する際の衝撃を緩和することができるため、扉の破損を防止することができ、接触時に大きな音の発生を抑制することができる。また、緩衝材によってのみ衝撃を和らげる場合に比べて、緩衝材の厚みを薄くすることができ、扉を磁石によって吸着する際の吸着力を向上することができる。
【発明の効果】
【００１１】
本発明によると、扉を開放する際に、磁力による吸着によって扉を戸当たりに固定して扉の開放状態を維持するため、止め具を必要とせず、操作性が向上する。また、扉が戸当たりに固定される際に、緩衝材が金属板と磁石との間には挟まれる構成となっているため、磁力によって扉が戸当たりに吸着される際の衝撃を和らげることができる。そのため、吸着時に大きな音が発生することを防止でき、吸着の際の衝撃によって扉が破損することもない。
【発明を実施するための最良の形態】
【００１２】
以下、本発明の扉止め装置を、その実施形態に基づいて説明する。
本発明の第１実施形態に係る扉止め装置において、図１（ａ）は、床５に固定された戸当たり１を示し、図１（ｂ）は、壁６に固定された戸当たり１を示す。いずれの場合においても、扉２が開放されて戸当たり１に近づくと、扉２が戸当たり１に吸着されて固定されることによって、扉２の開放状態が維持される。なお、戸当たり１の形状は図に示すものに限定されるものではなく、床に固定され、または壁に固定されるものであれば、他の形状であってもよい。また、図１（ｃ）に示すように、戸当たり１を扉２に設けることもできる。
【００１３】
図２に、本発明の第１実施形態に係る扉止め装置の構成の詳細を示す。
図２は、図１（ａ）、（ｂ）に示す戸当たり１の先端部と、扉２のうち、戸当たり１に当接する部位の構成を示すものである。
図２（ａ）において、戸当たり１の先端部は、磁石１１を緩衝材１２で覆って形成されている。また、扉２のうち、戸当たり１に当接する部位には、金属板１３が設けられている。緩衝材１２は例えばゴムを用いて形成することができ、金属板１３は磁石１１によって吸着される磁性を有する金属によって形成される。扉２を開放する際に、扉２が戸当たり１に近づくと、金属板１３が磁石１１によって吸着されて扉２は戸当たり１に固定される。磁石１１は、金属板１３との間に緩衝材１２があっても金属板１３が吸着されるほどに磁力の大きい磁石を用いている。
【００１４】
この構成によると、扉２を戸当たり１に固定するための止め具を用いることなく、磁石１１の磁力により瞬時に扉２が戸当たり１に固定されるため、操作性が向上する。また、扉２が戸当たり１に固定される際に、緩衝材１２が金属板１３と磁石１１との間には挟まれる構成となっているため、磁力によって扉２が戸当たり１に吸着される際の衝撃を和らげることができる。
金属板１３の先端には、図２（ｂ）に示すように、磁石１１を設けることもできる。これによって、扉２が戸当たり１に吸着される際の吸着力を高めることができる。
【００１５】
図２（ｃ）、（ｄ）に、本発明の扉止め装置の他の実施形態を示す。
図２（ｃ）において、戸当たり１の先端部には磁石１１が設けられている。また、扉２のうち、戸当たり１に当接する部位には、金属板１３が設けられ、その先端は緩衝材１２で覆われている。この実施形態においても、緩衝材１２は例えばゴムを用いて形成することができ、金属板１３は磁石１１によって吸着される磁性を有する金属によって形成される。扉２を開放する際に、扉２が戸当たり１に近づくと、金属板１３が磁石１１によって吸着されて扉２は戸当たり１に固定される。磁石１１は、金属板１３との間に緩衝材１２があっても金属板１３が吸着されるほどに磁力の大きい磁石を用いている。
【００１６】
この構成によると、扉２を戸当たり１に固定するための止め具を用いることなく、磁石の磁力により瞬時に扉２が戸当たり１に固定されるため、操作性が向上する。また、扉２が戸当たり１に固定される際に、緩衝材１２が金属板１３と磁石１１との間には挟まれる構成となっているため、磁力によって扉２が戸当たり１に吸着される際の衝撃を和らげることができる。
金属板１３の先端には、図２（ｄ）に示すように、磁石１１を設けることもできる。これによって、扉２が戸当たり１に吸着される際の吸着力を高めることができる。
【００１７】
なお、以上の実施形態においてはいずれも、金属板１３との間に緩衝材１２があっても金属板１３が吸着されるほどに磁力の大きい磁石を用いているが、扉２を戸当たり１に吸着させるために必要な磁力は、扉２の重量等の条件によって変化するものである。従って、使用する磁石１１の特性や、緩衝材１２の厚みは、使用状況に応じて適宜定められる。
【００１８】
図３に、本発明の第２実施形態に係る扉止め装置の構成の詳細を示す。
図３（ａ）において、壁６に戸当たり１が設けられ、戸当たり１は、支持部２１と吸着部２２とから構成される。図３（ａ）の矢印の方向から見た、支持部２１と吸着部２２の詳細を図３（ｂ）に示す。
図３（ｂ）において、支持部２１と吸着部２２は壁６から突出して形成されている。支持部２１は開放された扉を支持するためのものであり、扉が支持部２１に接触したときの衝撃を和らげる性質を有する材料で形成されている。また、吸着部２２は磁石１１の先端に緩衝材１２を設けたものが、シャフト２３を介して壁６に固定されている。シャフト２３の周囲には、ばね２４が巻き付けられ、シャフト２３は吸着部２２の先端が扉によって押圧されることによって、壁６内にその一部が圧入される構成となっている。
この実施形態においても、図２に示すものと同様に、扉２のうち、戸当たり１に当接する部位には、金属板１３が設けられている。
【００１９】
扉が開放されて壁６に近づくと、扉は吸着部２２の磁石１１によって吸着されて吸着部２２の先端に設けられた緩衝材１２に接触する。この接触の際の衝撃は、押圧によるばね２４の圧縮によって吸収される。吸着部２２の先端位置は、ばね２４の振動に伴って振動するが、扉は吸着部２２の磁石１１からの吸着力によって吸着された状態を保ったまま、支持部２１によって支持された状態で開放された状態が安定的に維持される。
【００２０】
この実施形態では、扉が戸当たり１の吸着部２２に接触する際の衝撃を緩和することができるため、扉の破損を防止することができ、接触時に大きな音の発生を抑制することができる。また、緩衝材１２によってのみ衝撃を和らげる場合に比べて、緩衝材１２の厚みを薄くすることができ、扉を磁石１１によって吸着する際の吸着力を向上することができる。
【００２１】
なお図３においては、支持部２１と吸着部２２とを独立した部材として形成しているが、両者を一体として形成し、両者の先端部のいずれをも緩衝材１２で覆う構成としてもよい。
また、図３では戸当たりを壁に設けた場合を示しているが、これに限定されるものではなく、床上に固定する構成とすることもできる。
【産業上の利用可能性】
【００２２】
本発明は、住居やオフィス等において使用される扉を開放した状態に保つための扉止め装置として利用することができ、簡単な構成で、操作性に優れた扉止め装置を実現することができる。
【図面の簡単な説明】
【００２３】
【図１】（ａ）は床に固定された戸当たりを示し、（ｂ）は壁に固定された戸当たりを示す図である。
【図２】本発明の第１実施形態に係る扉止め装置の構成の詳細を示す図である。
【図３】本発明の第２実施形態に係る扉止め装置の構成の詳細を示す図である。
【図４】従来の戸当たりの一例を示す図である。
【符号の説明】
【００２４】
１  戸当たり
２  扉
３  止め具
４  取手
５  床
６  壁
１１  磁石
１２  緩衝材
１３  金属板
２１  支持部
２２  吸着部
２３  シャフト
２４  ばね
【図１】
2005325653.tif 000003
【図２】
2005325653.tif 000004
【図３】
2005325653.tif 000005
【図４】
2005325653.tif 000006